(57)【要約】【課題】異なる周波によって操作されてデータを交換する電波方式認識系統及び電波方式認識方法を提供する。【解決手段】電波方式認識系統はユーザー電波方式認識モジュール及び業者電波方式認識モジュールを備えてなる。モジュールはそれぞれ、異なる周波数の電波によって操作されるタグ及びリーダーを備える。業者電波方式認識モジュールのタグは、ユーザー電波方式認識モジュールのリーダーと同じの周波によって操作されて、ユーザー電波方式認識モジュールのリーダーにデータを読み取られる。業者電波方式認識モジュールのリーダーは、ユーザー電波方式認識モジュールのタグと同じの周波数の電波によって操作されて、ユーザー電波方式認識モジュールのタグからデータを読み取る。【選択図】図１
2007066300.tif 000002
【特許請求の範囲】
【請求項１】
ユーザーのための少なくとも一つのユーザーインターフェースカードと、業者のための業者インターフェース装置と、を備えてなる多周波（Ｍｕｌｔｉ−ｆｒｅｑｕｅｎｃｙ）電波方式認識（ＲＦＩＤ）系統であり、
それぞれの該ユーザーインターフェースカードは、第１の周波数の電波によって操作されるユーザータグと、第２の周波数の電波によって操作されるユーザーリーダーと、を有し、
それぞれの該業者インターフェース装置は、該第２の周波数の電波によって操作される業者タグと、該第１の周波数の電波によって操作される業者リーダーと、を有することを特徴とする多周波電波方式認識系統。
【請求項２】
前記ユーザーインターフェースカードはユーザーの携帯電話に設置され、
前記業者インターフェース装置は、前記業者リーダーが前記ユーザータグの該第１の周波数の電波を読み取ることにより、唯一のユーザーを認識して、チケット売買についてのビジネスサービスを実施し、
前記業者インターフェース装置は、前記業者リーダーが前記ユーザータグの該第２の周波数の電波を読み取ることにより、文字及び地図を含むデータをダウンロードして、場所案内についてのビジネスサービスを実施し、
前記ユーザーインターフェースカードはイーウォレットを有し、該イーウォレットによって商品取引についてのビジネスサービスを実施する、ことを特徴とする請求項１に記載の多周波電波方式認識系統。
【請求項３】
ユーザータグとユーザーリーダーとを有するユーザーインターフェースカード、及び業者タグと業者リーダーとを有する業者インターフェース装置を提供するステップと、
該業者リーダーを使用して第１の周波数の電波によって該ユーザータグから読み取るステップと、
該ユーザーリーダーを使用して第２の周波数の電波によって該業者タグから読み取るステップと、を備えてなる電波方式認識方法。
【請求項４】
データを有して、第１の周波数の電波によって操作される少なくとも一つのタグと、
第２の周波数の電波によって操作されて、同じ電波のタグにあるデータを読み取るリーダーと、を備えてなる多周波電波方式認識モジュール。
【発明の詳細な説明】
【技術分野】
【０００１】
本発明はチケット売買、場所案内、商品取引などのビジネスサービスに関し、特に電波方式認識の技術を使用するビジネスサービス系統及びビジネスサービス方法に関する。
【背景技術】
【０００２】
従来より遊園地、博物館又は展覧会において、見学者及び観光客等の該施設のユーザーに各種情報を知らせるために、所謂、場所案内などのビジネスサービスが業者（管理者を含む）により提供される。従来の場所案内のビジネスサービスは下記の通り列挙される：
【０００３】
（１）案内者のサービス
案内者が見学者及び観光客を率いて直接案内することにより、場所案内のビジネスサービスが提供される。しかし、能率も低く観光客の数も限られるので、観光客の要求を満足できない。
【０００４】
（２）自助式場所案内のサービス
見学者及び観光客は自分で場所案内のソフトウェアを再生して情報を獲得することである。そのソフトウェアの内容は業者の配置した順序によって構成されるから、ユーザーにとって不便なものになる。
【０００５】
（３）アナウンサーのサービス
見学者及び観光客はアナウンスの途中に入ったら、もう公表した情報を獲得できない。完全な情報を獲得したがる観光客は次のアナウンスを待たなければならない。実用に適するものではない。
【０００６】
場所案内が不便であるほか、観光客は遊園地で大部分は、現金を払う、クレジットカードを使う等によってチケットを買う、或いは買物する。このようなビジネスサービスは、特殊な遊園地（例えば水上楽園）や高額な金額を払いにくい会場にとって、特に不便なものである。
【発明の開示】
【発明が解決しようとする課題】
【０００７】
上記した課題を解決するために、本願発明では次の技術的手段を講じるものである。
すなわち、チケット売買、場所案内、商品取引についてのビジネスサービスに応用される電波方式認識系統（装置）及び電波方式認識方法を提供する。こんな系統及び方法によって、観光客、見学者は、ただ携帯電話に設置されたＩＣカードだけで、遊園地、博物館、展覧会などで電子伝送を通してチケット売買、場所案内、商品取引についてのビジネスサービスを実施できる。
【課題を解決するための手段】
【０００８】
上記目的を達成するための本発明に係る電波方式認識系統は、ユーザー電波方式認識モジュール及び業者（管理者を含む）電波方式認識モジュールを備えてなる。モジュールはそれぞれ、異なる周波によって操作されるタグ及びリーダーを備えることを特徴とする。
【０００９】
業者電波方式認識モジュールのタグは、ユーザー電波方式認識モジュールのリーダーと同じの周波によって操作されて、ユーザー電波方式認識モジュールのリーダーにデータを読み取られる。業者電波方式認識モジュールのリーダーは、ユーザー電波方式認識モジュールのタグと同じ電波によって操作されて、ユーザー電波方式認識モジュールのタグからデータを読み取る。
【発明の効果】
【００１０】
以上のように構成されたこの発明は次のような優れた効果を有している。
本発明は、チケット売買、場所案内、商品取引についてのビジネスサービスに応用される電波方式認識系統及び電波方式認識方法を提供する。この系統及び方法によって、観光客、見学者は、ただ携帯電話に設置されたＩＣカードだけで、遊園地、博物館、展覧会などで電子伝送を通してチケット売買、場所案内、商品取引についてのビジネスサービスを実施できる。観光客が遊園地や会場などでの不便を改善する効果がある。
【発明を実施するための最良の形態】
【００１１】
以下、本発明の実施の形態について、図面を参照しながら説明する。
図１は多周波（多重周波数）電波方式認識の技術を使用する本発明のビジネスサービス系統を表示した図である。図１に提供された多周波（多重周波数）（Ｍｕｌｔｉ−ｆｒｅｑｕｅｎｃｙ）電波方式認識（Radio Frequency Identification）（ＲＦＩＤ）系統（装置）１０は、ユーザーの移動通信装置１１（例えば、携帯電話）に設置されたユーザーインターフェースカード１２及び業者インターフェース装置１３を備えてなる。ユーザーインターフェースカード１２は、第１の周波数の電波によって操作されるユーザータグ１２１と、第２の周波数の電波によって操作されるユーザーリーダー１２２と、を有している。業者インターフェース装置１３は、該第２の周波数の電波によって操作される業者タグ１３１と、該第１の周波数の電波によって操作される業者リーダー１３２と、を有している。
【００１２】
図１において、多周波電波方式の技術を使用するビジネスサービス系統の有効範囲は、全ての遊園地、博物館又は展覧会をカバーするものである。ユーザーインターフェースカード１２を含む携帯電話１１を持っている見学者又は観光客は、ユーザーインターフェースカード１２によって遊園地や会場などで電子伝送を通してチケット売買、場所案内、商品取引についてのビジネスサービスを実施できる。
【００１３】
図２はチケット売買及び商品取引のビジネスサービスを実施する時、多周波電波方式認識の技術を使用する本発明のビジネスサービス系統を表示した図である。観光客が遊園地や会場などのチケットを買おうとする時、観光客がいる位置に近くの業者リーダー１３２は、ユーザーが持っている携帯電話１１のユーザーインターフェースカード１２のユーザータグ１２１から該第１の周波数の電波を読み取ることによって、唯一のユーザーを認識して、チケット売買についてのビジネスサービスを実施する。この多周波電波方式認識の技術を使用するビジネスサービスは従来の支払い方法と結合してもよい。例えば、前払いなどのイーウォレット（e-wallet）又は後払いの従来の装置と結合してもよい。
【００１４】
一方、観光客が遊園地や会場などで各種の商品の取引をする時、観光客がいる位置に近くの業者リーダー１３２も、ユーザーが持っている携帯電話１１のユーザーインターフェースカード１２のユーザータグ１２１から該第１の周波数の電波を読み取ることによって、唯一のユーザーを認識して、そのビジネスサービスを実施する。同様に、前払い又は後払いの従来の装置と結合して、オンラインで売買をしもよい。
【００１５】
図３は場所案内のビジネスサービスを実施する時、多周波電波方式認識の技術を使用する本発明のビジネスサービス系統を表示した図である。図３において、多周波電波方式の技術を使用するビジネスサービス系統の有効範囲は、全ての遊園地、博物館又は展覧会をカバーするものである。その有効範囲は広いので、全ての遊園地又は会場に複数の業者インターフェース装置１３を配置する必要がある。この実施態様において、有効範囲をＡ区域、Ｂ区域及びＣ区域に分けて、三つの業者インターフェース装置１３があるように説明する。実際に、全ての遊園地又は会場には、数十或いは数百の業者インターフェース装置１３があってもよい。そのほか、単一の区域には複数の業者インターフェース装置１３があってもよい。各区域の有効範囲は互いにカバーすることもある。
【００１６】
図３において、ユーザーインターフェースカード１２を含む携帯電話１１を持っているユーザーがＡ区域にいる時、第２の周波数の電波を有するユーザーリーダー１２２は、Ａ区域にある業者インターフェース装置１３の業者タグ１３１から読み取って、Ａ区域にある業者インターフェース装置１３から遊園地、会場の案内情報を携帯電話１１までダウンロードする。遂に、ユーザーは自分の携帯電話１１だけで、Ａ区域さらに全区域にわたる案内情報を受けることができる。同様に、ユーザーインターフェースカード１２を含む携帯電話１１を持っているユーザーがＢ区域又はＣ区域にいる時、第２の周波数の電波を有するユーザーリーダー１２２は、Ｂ区域又はＣ区域にある業者インターフェース装置１３の業者タグ１３１から読み取って、Ｂ区域又はＣ区域にある業者インターフェース装置１３から遊園地、会場の案内情報を携帯電話１１までダウンロードする。したがって、ユーザーは自分の携帯電話１１だけで、Ｂ区域又はＣ区域にわたる案内情報を受けることができる。
【図面の簡単な説明】
【００１７】
【図１】多周波電波方式認識の技術を使用する本発明のビジネスサービス系統を表わした図である。
【図２】チケット売買及び商品取引のビジネスサービスを実施する時、多周波電波方式認識の技術を使用する本発明のビジネスサービス系統を表わした図である。
【図３】場所案内のビジネスサービスを実施する時、多周波電波方式認識の技術を使用する本発明のビジネスサービス系統を表わした図である。
【符号の説明】
【００１８】
１０      電波方式認識系統
１１      移動通信装置
１２      ユーザーインターフェースカード
１３      業者インターフェース装置
１２１    ユーザータグ
１２２    ユーザーリーダー
１３１    業者タグ
１３２    業者リーダー
【図１】
2007066300.tif 000003
【図２】
2007066300.tif 000004
【図３】
2007066300.tif 000005